(57)【要約】【課題】例えばアンテナからの信号が中継器において周波数変換された後に供給される場合においてもチャネルスキャンを行うことができるようにする。【解決手段】本技術の一側面の受信装置は、所望の周波数帯域の信号を受信し、受信装置に割り当てられた周波数帯域の信号に変換して出力する中継器に、周波数帯域を順次変えて信号を受信させる制御部と、前記中継器から供給された周波数変換後の信号のスペクトルを計測する計測部とを備える。本技術は、Single Cable方式で接続される受信装置に適用することができる。【選択図】図６
2013123155.tif 000002
【特許請求の範囲】
【請求項１】
所望の周波数帯域の信号を受信し、受信装置に割り当てられた周波数帯域の信号に変換して出力する中継器に、周波数帯域を順次変えて信号を受信させる制御部と、
前記中継器から供給された周波数変換後の信号のスペクトルを計測する計測部と
を備える受信装置。
【請求項２】
放送に用いられているチャネルの候補を前記スペクトルに基づいて推定する推定部をさらに備え、
前記制御部は、前記候補のチャネルの信号を前記中継器に受信させる
請求項１に記載の受信装置。
【請求項３】
前記候補のチャネルの信号を受信した前記中継器から供給された前記周波数変換後の信号に対して復調および復号を含む信号処理を行う信号処理部と、
前記信号処理によって同期を確立できた前記候補のチャネルの情報を記憶する記憶部と
をさらに備える請求項２に記載の受信装置。
【請求項４】
前記記憶部に記憶される情報には、前記候補のチャネルの周波数の情報が含まれる
請求項３に記載の受信装置。
【請求項５】
前記中継器は、分岐した先に前記受信装置自身を含む複数の受信装置が接続される１本の同軸ケーブル上に、各受信装置に割り当てられた周波数帯域の信号を周波数多重した信号を出力する機器であり、
前記制御部は、DiSEqC規格のコマンドを前記中継器に送信し、受信周波数帯域を制御する
請求項１に記載の受信装置。
【請求項６】
前記所望の周波数帯域の信号はアンテナから供給される信号である
請求項１に記載の受信装置。
【請求項７】
前記所望の周波数帯域の信号はRF信号またはIF信号である
請求項１に記載の受信装置。
【請求項８】
所望の周波数帯域の信号を受信し、受信装置に割り当てられた周波数帯域の信号に変換して出力する中継器に、周波数帯域を順次変えて信号を受信させ、
前記中継器から供給された周波数変換後の信号のスペクトルを計測する
ステップを含む受信方法。
【請求項９】
所望の周波数帯域の信号を受信し、受信装置に割り当てられた周波数帯域の信号に変換して出力する中継器に、周波数帯域を順次変えて信号を受信させ、
前記中継器から供給された周波数変換後の信号のスペクトルを計測する
ステップを含む処理をコンピュータに実行させるプログラム。
【発明の詳細な説明】
【技術分野】
【０００１】
本技術は、受信装置、受信方法、およびプログラムに関し、特に、例えばアンテナからの信号が中継器において周波数変換された後に供給される場合においてもチャネルスキャンを行うことができるようにした受信装置、受信方法、およびプログラムに関する。
【背景技術】
【０００２】
衛星テレビジョン放送の受信形態として、中継器となるスイッチを複数の衛星アンテナと受信装置の間に設け、スイッチの入力を受信装置から切り替えることによって、衛星アンテナや受信プログラムを選択して受信するような形態がある。
【０００３】
図１は、衛星アンテナの接続方式の第１の例を示す図である。図１の例においては、衛星アンテナ＃０乃至＃Ｘがそれぞれ同軸ケーブルによってスイッチ１の入力に接続され、スイッチ１の出力と受信装置２の間が１本の同軸ケーブルで接続されている。
【０００４】
スイッチ１は、受信装置２により要求された入力、すなわち衛星アンテナを選択し、選択した衛星アンテナから供給されたIF信号を受信装置２に出力する。各衛星アンテナはRFアンテナとLNB(Low Noise Block Converter)から構成される。スイッチ１に対しては、LNBにより周波数変換が行われることによって得られたIF信号が供給される。
【０００５】
受信装置２は、スイッチ１から供給されたIF信号に対して復調等の各種の処理を施し、選択を要求した衛星アンテナで受信された番組のデータを取得する。
【０００６】
図２は、衛星アンテナの接続方式の第２の例を示す図である。図２の例においては、衛星アンテナ＃０乃至＃Ｘがそれぞれ同軸ケーブルによってスイッチ１の入力に接続されている。また、スイッチ１の出力には、受信装置２−１乃至２−ＮがＮ本の同軸ケーブルでそれぞれ接続されている。
【０００７】
スイッチ１は、受信装置２−１乃至２−Ｎのそれぞれの要求に従って衛星アンテナを選択し、選択した衛星アンテナから供給されたIF信号を、そのIF信号を要求してきた受信装置に出力する。
【０００８】
図２の接続方式は、通常、集合住宅等の複数の受信装置がある場合に用いられるが、それぞれの受信装置（ユーザ）の要求に応じてIF信号を供給する必要があることから、スイッチ１と各受信装置の間を受信装置の数と同じ数のケーブルで配線する必要がある。
【０００９】
そこで、配線を簡易にするため、スイッチ１において各受信装置の所望の受信チャネルの周辺周波数帯の信号を受信装置毎に割り当てられた周波数の信号に変換し、出力する接続方式が用いられている。この接続方式によれば、スイッチ１の出力には１本のケーブルが接続され、その１本のケーブルの分岐した先に各受信装置に接続されることになる。
【００１０】
以下、適宜、各受信装置が所望する受信チャネルの周辺周波数帯をIFバンドといい、受信装置毎に割り当てられた周波数帯域をユーザバンドという。スイッチ１は、所望の衛星アンテナから供給されたIFバンドの信号を、そのIFバンドの信号を要求してきた受信装置に割り当てられたユーザバンドの信号に変換し、出力する。
【００１１】
図３は、衛星アンテナの接続方式の第３の例を示す図である。図３の例においては、衛星アンテナ＃０乃至＃Ｘがそれぞれ同軸ケーブルによってスイッチ１の入力に接続されている。また、スイッチ１の出力には１本の同軸ケーブルが接続される。スイッチ１の出力に接続される１本の同軸ケーブルは分岐し、分岐した先に受信装置２−１乃至２−Ｎが接続される。
【００１２】
スイッチ１は、各受信装置の所望のIFバンドの信号をユーザバンドの信号に変換し、周波数多重して出力する。スイッチ１から出力された多重信号は、受信装置２−１乃至２−Ｎの各受信装置に供給される。
【００１３】
図４は、図３のスイッチ１が出力する多重信号の例を示す図である。図４のユーザバンド１は受信装置２−１に割り当てられた周波数帯域であり、ユーザバンド２は受信装置２−２に割り当てられた周波数帯域である。受信装置２−１乃至２−Ｎの各受信装置は、スイッチ１から供給された信号から、自身に割り当てられたユーザバンドの信号を選局することによって所望のチャネルを受信する。
【００１４】
以下、適宜、図３の接続方式をSingle Cable方式という。Single Cable方式については例えば非特許文献１に規定されている。非特許文献１には、最大２つの衛星アンテナ（計8LNB）の所望の周波数帯域の信号を、最大８ユーザが共有する１本の同軸ケーブル上に周波数多重して分配するSingle Cable方式が規定されている。
【００１５】
ところで、衛星テレビジョン放送の受信装置を含む各種の受信装置には、どの周波数帯域が放送に用いられているのかを自動的に検出するチャネルスキャンの機能が搭載されている。
【００１６】
チャネルスキャンは、受信可能なチャネルのスキャンを実環境で行い、スキャンによって得られた受信可能なチャネルの情報を受信装置が備えるメモリなどに保存しておく機能である。ユーザは、チャネル情報が保存されているチャネルの中から、受信するチャネルを選択することができる。一般的に、チャネルスキャンは、受信可能なチャネルの情報が与えられていない未知の状況（ブラインドの状況）で行われる。
【００１７】
ここで、図５のフローチャートを参照して、ブラインドでのチャネルスキャンについて説明する。図５の処理を例えば図１の受信装置２が行うものとする。
【００１８】
ステップＳ１において、受信装置２は、チャネルスキャンの開始周波数を設定する。
【００１９】
ステップＳ２において、受信装置２は最小のSymbol Rate(SR)を設定する。例えば衛星テレビジョン放送においては、各放送チャネルのSymbol Rateとして1〜45Msps(symbol/second)の所定のレートが用いられる。この場合、最小のSymbol Rateとして1Mspsが設定される。
【００２０】
ステップＳ３において、受信装置２は、衛星アンテナからスイッチ１を介して供給されたIF信号に対して復調、復号等の受信処理を行う。
【００２１】
ステップＳ４において、受信装置２は、受信処理によって同期を確立できたか否かを判定する。
【００２２】
同期を確立できていないとステップＳ４において判定した場合、ステップＳ５において、受信装置２は、現在のSymbol Rateの設定値が最大のSymbol Rateである例えば45Mspsに到達したか否かを判定する。
【００２３】
最大のSymbol Rateに到達していないとステップＳ５において判定した場合、ステップＳ６において、受信装置２はSymbol Rateの設定値をインクリメントし、ステップＳ３以降の処理を繰り返し行う。
【００２４】
一方、同期を確立できたとステップＳ４において判定した場合、ステップＳ７において、受信装置２は、現在設定している周波数とSymbol Rateの情報をチャネル情報としてメモリに保存する。
【００２５】
ステップＳ７においてチャネル情報を保存した後、またはステップＳ５においてSymbol Rateの設定値が最大のSymbol Rateに到達したと判定した場合、ステップＳ８において、受信装置２は、周波数の設定値が最大の周波数に到達したか否かを判定する。
【００２６】
最大の周波数に到達していないとステップＳ８において判定した場合、ステップＳ９において、受信装置２は周波数の設定値をインクリメントし、ステップＳ２以降の処理を繰り返し行う。
【００２７】
一方、最大の周波数に到達したとステップＳ８において判定した場合、受信装置２は処理を終了させる。このように、ブラインドでのチャネルスキャンは、受信対象とする周波数とSymbol Rateを取り得る範囲で変化させ、同期を確立できたチャネルの情報を保存するようにして行われる。
【先行技術文献】
【非特許文献】
【００２８】
【非特許文献１】”Satellite signal distribution over a single coaxial cable in single dwelling installations (BS EN 50494)”
【発明の概要】
【発明が解決しようとする課題】
【００２９】
以上のようなブラインドでのチャネルスキャンは、衛星アンテナの接続方式が図３のSingle Cable方式である場合には行うことができない。すなわち、スイッチ１においてIFバンドの信号がユーザバンドの信号に常に変換されてしまうことから、受信装置は、IFバンドの周波数をスイープさせて、同期を確立できるかどうかを判断することができない。
【００３０】
本技術はこのような状況に鑑みてなされたものであり、例えばアンテナからの信号が中継器において周波数変換された後に供給される場合においてもチャネルスキャンを行うことができるようにするものである。
【課題を解決するための手段】
【００３１】
本技術の一側面の受信装置は、所望の周波数帯域の信号を受信し、受信装置に割り当てられた周波数帯域の信号に変換して出力する中継器に、周波数帯域を順次変えて信号を受信させる制御部と、前記中継器から供給された周波数変換後の信号のスペクトルを計測する計測部とを備える。
【００３２】
放送に用いられているチャネルの候補を前記スペクトルに基づいて推定する推定部をさらに設けることができる。この場合、前記制御部には、前記候補のチャネルの信号を前記中継器に受信させることができる。
【００３３】
前記候補のチャネルの信号を受信した前記中継器から供給された前記周波数変換後の信号に対して復調および復号を含む信号処理を行う信号処理部と、前記信号処理によって同期を確立できた前記候補のチャネルの情報を記憶する記憶部とをさらに設けることができる。
【００３４】
前記記憶部に記憶される情報には、前記候補のチャネルの周波数の情報が含まれるようにすることができる。
【００３５】
前記中継器は、分岐した先に前記受信装置自身を含む複数の受信装置が接続される１本の同軸ケーブル上に、各受信装置に割り当てられた周波数帯域の信号を周波数多重した信号を出力する機器であるようにすることができる。この場合、前記制御部には、DiSEqC規格のコマンドを前記中継器に送信し、受信周波数帯域を制御させることができる。
【００３６】
前記所望の周波数帯域の信号はアンテナから供給される信号であるようにすることができる。前記アンテナは、地上波放送を受信するアンテナであってもよいし、衛星放送を受信するアンテナであってもよい。
【００３７】
前記所望の周波数帯域の信号はRF信号またはIF信号であるようにすることができる。
【００３８】
本技術の一側面においては、所望の周波数帯域の信号が受信され、受信装置に割り当てられた周波数帯域の信号に変換して出力する中継器に、周波数帯域を順次変えて信号を受信させることが行われ、前記中継器から供給された周波数変換後の信号のスペクトルが計測される。
【発明の効果】
【００３９】
本技術によれば、例えばアンテナからの信号が中継器において周波数変換された後に供給される場合においてもチャネルスキャンを行うことができる。
【図面の簡単な説明】
【００４０】
【図１】衛星アンテナの接続方式の第１の例を示す図である。
【図２】衛星アンテナの接続方式の第２の例を示す図である。
【図３】衛星アンテナの接続方式の第３の例を示す図である。
【図４】Single Cable方式におけるスイッチの出力の例を示す図である。
【図５】ブラインドでのチャネルスキャンについて説明するフローチャートである。
【図６】本技術の一実施形態に係る受信装置の構成例を示すブロック図である。
【図７】周波数反転について説明する図である。
【図８】受信チャネルの切り替えの例を示す図である。
【図９】DiSEqCコマンドのデータ構造を示す図である。
【図１０】ODU_Channel_changeコマンドのデータ構造を示す図である。
【図１１】スペクトル計測処理について説明するフローチャートである。
【図１２】候補の選局確認処理について説明するフローチャートである。
【図１３】受信システムの構成例を示すブロック図である。
【図１４】コンピュータの構成例を示すブロック図である。
【発明を実施するための形態】
【００４１】
＜受信装置の構成＞
図６は、本技術の一実施形態に係る受信装置の構成例を示すブロック図である。
【００４２】
図６の受信装置２−１は、図３に示すSingle Cable方式でスイッチ１に接続される受信装置である。
【００４３】
すなわち、衛星アンテナ＃０乃至＃Ｘがそれぞれ同軸ケーブルによってスイッチ１の入力に接続され、スイッチ１の出力には１本の同軸ケーブルが接続される。スイッチ１の出力に接続される１本の同軸ケーブルは分岐し、分岐した先に、受信装置２−１を含む、受信装置２−１乃至２−Ｎが接続される。スイッチ１からは、各受信装置の所望のIFバンドの信号をユーザバンドの信号に変換し、周波数多重することによって得られた図４に示す多重信号が同軸ケーブル上に出力される。
【００４４】
受信装置２−１においては、スイッチ１から供給される多重信号を用いて、ブラインドでのチャネルスキャンが行われる。
【００４５】
受信装置２−１は、受信部１１、信号処理部１２、スペクトル計測部１３、推定部１４、制御部１５、および記憶部１６から構成される。信号処理部１２は復調部２１と復号部２２から構成される。スイッチ１から出力された多重信号は受信部１１に入力される。
【００４６】
受信部１１は、受信装置２−１に割り当てられたユーザバンドを選局し、スイッチ１から供給された多重信号からユーザバンド１の信号を抽出する。受信部１１は、多重信号から抽出したユーザバンド１の信号を信号処理部１２の復調部２１に出力する。
【００４７】
復調部２１は、受信部１１から供給された信号に対して、A/D変換、直交復調、FFT(Fast Fourier Transform)演算、等化などの各処理からなる復調処理を施す。
【００４８】
また、復調部２１は、制御部１５による制御に従って、適宜、受信部１１から供給されたIF信号に対して周波数反転補正を施す。スイッチ１がミキサ（周波数変換器）出力の上側波帯の成分と下側波帯の成分のうちの下側波帯の成分をユーザバンドの信号として用いるスイッチである場合、ユーザバンドの信号は、図７に示すようにIFバンドの信号に対して周波数反転した信号になる。復調部２１は、周波数反転が生じているユーザバンドの信号を、元のIFバンドの信号と同じスペクトルを有する信号になるように補正する。Single Cable方式においては、ミキサ出力の下側波帯の成分をユーザバンドの信号とするスイッチが用いられる。
【００４９】
周波数反転補正、復調処理が復調部２１により行われることによって得られた信号は復号部２２とスペクトル計測部１３に供給される。
【００５０】
復号部２２は、復調部２１から供給された信号に対して誤り訂正復号などの処理を施し、誤り訂正復号を正しく行うことができたことによって同期を確立できた場合、誤り訂正復号によって得られたTS(Transport Stream)を後段に出力する。また、復号部２２は、同期を確立できたことを表すTS Lock信号を制御部１５に出力する。
【００５１】
スペクトル計測部１３は、チャネルスキャン時、復調部２１から供給された信号の電力を測定する。スペクトル計測部１３は、IFバンドを順次変えることによって得られる、所定の周波数帯域内の各周波数における信号の電力の情報を推定部１４に出力する。
【００５２】
推定部１４は、スペクトル計測部１３により計測された電力の情報に基づいて、放送に使われているチャネルである放送チャネルの候補を推定する。推定部１４は、放送チャネルとして実際に使われているチャネルのスペクトルの形状に関する情報を有している。推定部１４は、例えば、スペクトル計測部１３により測定された電力により表されるスペクトルの形状が、放送チャネルのスペクトルの形状に近似するチャネルを放送チャネルの候補として決定する。推定部１４は、中心周波数などの、放送チャネルの候補の情報を制御部１５に出力する。
【００５３】
制御部１５は、チャネルスキャン時、所定の周波数帯域のIF信号をスイッチ１に受信させる。例えば、推定部１４により決定された放送チャネルの候補の信号を受信するようにしてIFバンドの周波数帯域が指定される。
【００５４】
例えば制御部１５は、図８Ａに示すように、950〜2150MHzの範囲で、20MHz毎にIFバンドを切り替えるようにしてスイッチ１の受信周波数帯域を制御する。図８Ａの例においては、中心周波数Fifとして1200MHzが指定され、1200MHzを中心とする20MHz幅のIFバンドの信号がスイッチ１により受信されている。スイッチ１により受信されたIFバンドの信号はユーザバンド１の信号に変換され、出力される。
【００５５】
スイッチ１に対するIFバンドの指定には、例えば、Single Cable方式で採用される、DiSEqC規格のコマンドを拡張したコマンド（DiSEqCコマンド）のうちのODU_Channel_changeコマンドが用いられる。
【００５６】
図９はDiSEqCコマンドのデータ構造を示す図である。図９に示すように、DiSEqCコマンドは、コマンドの構造を表すFraming、コマンドの送信先を表すAddress、コマンドの種別を表すCommand、Data1、およびData2から構成される。各データにはパリティ（Ｐ）が付加される。
【００５７】
図１０はODU_Channel_changeコマンドのデータ構造を示す図である。図１０の上段に示すように、ODU_Channel_changeコマンドのFramingにはE0が設定され、Addressには、スイッチ１を表す00,10,11のうちのいずれかの値が設定される。Commandには、ODU_Channel_changeコマンドであることを表す5Aが設定される。
【００５８】
Data1、Data2はそれぞれ８ビットの情報である。Data1のBit7, Bit6, Bit5の３ビットは受信装置２−１に割り当てられたユーザバンドの番号を表し、Data1のBit4, Bit3, Bit2の３ビットは、切り替え対象となる衛星アンテナ及びLNBの番号を表す。Data1のBit1, Bit0とData2のBit7〜Bit0の１０ビットは周波数変換量Tを表す。
【００５９】
周波数変換量Tは下式（１）により表される。
T = round( ( abs( Ft - Fo ) + Fub ) / S ) - 350      ・・・    （１）
【００６０】
式（１）において、FtはチャネルのRF周波数であり、FoはLNBのローカル周波数である。Fubはユーザバンドの中心周波数であり、Sは量子化解像度（4MHz固定）である。上式（１）では、abs( Ft - Fo )の項がIFバンドの中心周波数Fifに対応する。
【００６１】
制御部１５は、所望の中心周波数Fifを決定した後、中心周波数Fifから周波数変換量Tを算出し、ODU_Channel_changeコマンドに含めてスイッチ１に対して送信することになる。スイッチ１に対するコマンドは、スイッチ１と受信装置２−１の間を接続する同軸ケーブルを介して送信されるようにしてもよいし、他のケーブルや無線によって送信されるようにしてもよい。
【００６２】
また、制御部１５は、ODU_Channel_changeコマンドを送信してIFバンドを指定した後、図８Ｂに示すようにキャリア周波数に対するオフセットを例えば-10〜+10MHzの範囲で指定し、復調部２１における直交復調を制御する。
【００６３】
制御部１５は、チャネルスキャン中にTS Lock信号が復号部２２から供給された場合、放送チャネルの候補としてスイッチ１に受信させているチャネルの情報をフラッシュメモリなどよりなる記憶部１６に記憶させ、保存する。
【００６４】
例えば、シンボルレートなどのチャネルの各種のパラメータと、RFバンドの周波数またはIFバンドの周波数とを対応付けた情報が放送チャネルの情報として記憶部１６に記憶される。IFバンドの周波数の情報にはIFバンドの中心周波数の情報が含まれる。記憶部１６は、次に同じチャネルを受信するとき、記憶部１６に記憶されている情報に基づいてスイッチ１、復調部２１などを制御し、受信処理を行わせる。
【００６５】
＜受信装置の動作＞
ここで、以上のような構成を有する受信装置２−１のチャネルスキャン時の動作について説明する。
【００６６】
受信装置２−１による一連のチャネルスキャンは、スペクトル計測処理と候補の選局確認処理からなる。スペクトル計測処理は、IFバンドを順次切り替えて所定の周波数帯域内の信号のスペクトルを計測する処理である。候補の選局確認処理は、スペクトル計測処理の結果に基づいて放送チャネルの候補を決定し、放送チャネルの候補を対象として受信処理を行って実際に受信できるか否かを確認する処理である。
【００６７】
はじめに、図１１のフローチャートを参照してスペクトル計測処理について説明する。
【００６８】
ステップＳ３１において、制御部１５は、スイッチ１が、周波数反転が生じている信号を出力するスイッチであるか否かを判定する。周波数反転が生じている信号を出力するスイッチであるか否かを表す情報は、記憶部１６に記憶させるなどして受信装置２−１に予め設定されている。制御部１５は、予め設定されている情報に基づいて、スイッチ１が、周波数反転が生じている信号を出力するスイッチであるか否かの判定を行う。
【００６９】
周波数反転が生じている信号を出力するスイッチであるとステップＳ３１において判定した場合、ステップＳ３２において、制御部１５は、以降、受信部１１から供給された信号を対象として周波数反転補正を行うように復調部２１を制御する。
【００７０】
一方、周波数反転が生じている信号を出力するスイッチではないとステップＳ３１において判定した場合、ステップＳ３３において、制御部１５は、以降、周波数反転補正を行わないように復調部２１を制御する。
【００７１】
ステップＳ３４において、制御部１５は、ODU_Channel_changeコマンドをスイッチ１に送信し、チャネルスキャンの開始IF周波数を設定する。
【００７２】
図８Ａの周波数帯域を対象としてチャネルスキャンを行う場合、制御部１５は、例えば中心周波数Fifを950MHzとして上式（１）に基づいて周波数変換量Tを算出し、算出した周波数変換量Tを含むODU_Channel_changeコマンドを生成する。制御部１５は、生成したODU_Channel_changeコマンドをスイッチ１に送信し、950MHzを中心周波数とする20MHz幅のIFバンドの信号の受信を行わせる。スイッチ１からは、950MHzを中心周波数とする20MHz幅のIFバンドの信号を変換したユーザバンド１の信号を含む多重信号が出力され、受信装置２−１に供給される。
【００７３】
ステップＳ３５において、制御部１５は、復調部２１の直交復調に用いられるキャリア周波数のオフセット（周波数変位）として最小の周波数変位を設定する。図８Ｂを参照して説明したように-10〜+10MHzの範囲で例えば2MHzずつ切り替えて周波数変位を指定する場合、最小の周波数変位として-10MHzが指定される。
【００７４】
ステップＳ３４においてIFバンドが設定され、ステップＳ３５において直交復調に用いられるキャリア周波数の周波数変位が設定された後、受信部１１においては、スイッチ１から供給された多重信号からユーザバンド１の信号が抽出される。
【００７５】
ステップＳ３６において、復調部２１は、受信部１１により抽出されたユーザバンド１の信号に対して復調処理を施す。例えば復調処理の前、適宜、周波数反転補正が復調部２１により行われる。復調部２１は、復調処理によって得られた等化後の信号をスペクトル計測部１３に供給する。
【００７６】
ステップＳ３７において、スペクトル計測部１３は、復調部２１から供給された信号の電力を測定し、測定結果を現在のIFバンドの設定値、およびキャリア周波数の周波数変位の設定値と対応付けて保存する。
【００７７】
ステップＳ３８において、制御部１５は、復調部２１における直交復調のキャリア周波数の周波数変位の設定値が、最大の周波数変位である例えば+10MHzに到達したか否かを判定する。
【００７８】
キャリア周波数の周波数変位の設定値が最大の周波数変位に到達していないとステップＳ３８において判定した場合、ステップＳ３９において、制御部１５は、キャリア周波数の周波数変位を所定の幅でインクリメントさせる。その後、ステップＳ３６以降の処理が繰り返し行われる。-10MHz、-8MHz、-6MHz、・・・、+6MHz、+8MHz、+10MHzといったようにキャリア周波数の周波数変位が順次切り替えられ、各周波数変位における信号の電力がスペクトル計測部１３により測定されることになる。
【００７９】
一方、キャリア周波数の周波数変位の設定値が最大の周波数変位に到達したとステップＳ３８において判定した場合、ステップＳ４０において、制御部１５は、IFバンドの設定値が終了IF周波数に到達したか否かを判定する。図８Ａのように950〜2150MHzの範囲でチャネルスキャンを行う場合、2150MHzが終了IF周波数となる。
【００８０】
IFバンドの設定値が終了IF周波数に到達していないとステップＳ４０において判定した場合、ステップＳ４１において、制御部１５は、ODU_Channel_changeコマンドをスイッチ１に送信し、IF周波数をインクリメントさせる。制御部１５は、IFバンドを例えば20MHzずつずらして設定し、ステップＳ３５以降の処理を繰り返し行う。
【００８１】
IFバンドの例えば中心周波数の設定値が2150MHzであることからIFバンドの設定値が終了IF周波数に到達したとステップＳ４０において判定した場合、制御部１５は処理を終了させる。以上の処理により、例えば950〜2150MHzといったような、チャネルスキャンの対象となる周波数帯域全体の各周波数における信号の電力の情報がスペクトル計測部１３により取得される。
【００８２】
次に、図１２のフローチャートを参照して候補の選局確認処理について説明する。図１２の処理は、図１１の処理の後に開始される。
【００８３】
ステップＳ５１において、制御部１５は、図１１のステップＳ３１と同様に、スイッチ１が、周波数反転が生じている信号を出力するスイッチであるか否かを判定する。
【００８４】
周波数反転が生じている信号を出力するスイッチであるとステップＳ５１において判定した場合、ステップＳ５２において、制御部１５は、以降、受信部１１から供給された信号を対象として周波数反転補正を行うように復調部２１を制御する。
【００８５】
一方、周波数反転が生じている信号を出力するスイッチではないとステップＳ５１において判定した場合、ステップＳ５３において、制御部１５は、以降、周波数反転補正を行わないように復調部２１を制御する。
【００８６】
ステップＳ５４において、推定部１４は、スペクトル計測部１３により計測された電力により表されるスペクトルの形状に基づいて放送チャネルの候補を決定する。推定部１４は、中心周波数等の、放送チャネルの各候補に関する情報を制御部１５に出力する。
【００８７】
ステップＳ５５において、制御部１５は、ODU_Channel_changeコマンドをスイッチ１に送信し、放送チャネルの最初の候補の信号を受信するようにIFバンドを設定する。例えば周波数の低い候補から順に、受信対象のチャネルとして選択される。
【００８８】
ステップＳ５６において、受信装置２は最初のSymbol Rateの候補を復調部２１に設定する。上述したようにSymbol Rateとして1〜45Mspsが用いられる場合、例えば、1〜45Mspsの範囲内の所定の数のSymbol Rateのうち、実際に使われている可能性の最も高いSymbol Rateが最初のSymbol Rateの候補として設定される。
【００８９】
ステップＳ５５においてIFバンドが設定され、ステップＳ５６においてSymbol Rateが設定された後、ステップＳ５７において受信処理が行われる。すなわち、受信部１１は、スイッチ１から供給された多重信号からユーザバンド１の信号を抽出する。また、復調部２１は、ユーザバンド１の信号に対して復調処理を施し、等化後の信号を復号部２２に出力する。復号部２２は、復調部２１から供給された信号に対して誤り訂正復号を施し、同期を確立できた場合、TSを後段に出力するとともにTS Lock信号を制御部１５に出力する。同期を確立できなかった場合、制御部１５に対してはTS Lock信号が供給されない。
【００９０】
ステップＳ５８において、制御部１５は、受信処理によって同期を確立できたか否かを判定する。
【００９１】
同期を確立できていないとステップＳ５８において判定した場合、ステップＳ５９において、制御部１５は、現在のSymbol Rateの設定値が、1〜45Mspsの範囲内の所定の数のSymbol Rateのうちの、実際に使われている可能性の最も低い最終のSymbol Rateに到達したか否かを判定する。
【００９２】
最終のSymbol Rateに到達していないとステップＳ５９において判定した場合、ステップＳ６０において、制御部１５は次のSymbol Rateの候補を設定し、ステップＳ５７以降の処理を繰り返し行う。図１２の処理においては、例えば1〜45Mspsの範囲内の所定の数のSymbol Rateのうち、実際に使われている可能性の最も高いSymbol Rateから順に選択され、受信処理が繰り返されることになる。
【００９３】
一方、TS Lock信号が供給されたことから同期を確立できたとステップＳ５８において判定した場合、ステップＳ６１において、制御部１５は、例えば現在のIFバンドの周波数とSymbol Rateの情報をチャネル情報として記憶部１６に記憶させ、保存する。
【００９４】
ステップＳ６１においてチャネル情報を保存した後、またはステップＳ５９において最終のSymbol Rateに到達したと判定した場合、ステップＳ６２において、制御部１５は、受信対象の放送チャネルの候補が最終の候補に到達したか否かを判定する。
【００９５】
最終の候補に到達していないとステップＳ６２において判定した場合、ステップＳ６３において、制御部１５はODU_Channel_changeコマンドをスイッチ１に送信し、次の候補の信号を受信するようにIFバンドを設定する。次の候補の信号を受信するようにIFバンドを切り替えた後、ステップＳ５６以降の処理が繰り返し行われる。
【００９６】
一方、最終の候補に到達したとステップＳ６２において判定した場合、制御部１５は処理を終了させる。
【００９７】
Single Cable方式のようにIFバンドをユーザバンドに変換するスイッチ１が衛星アンテナとの間に存在する場合であっても、スイッチ１が受信するIFバンドを順次切り替えることによって受信装置２−１はチャネルスキャンを行うことが可能になる。
【００９８】
また、スペクトルの計測結果に基づいて決定した候補のチャネルに絞って受信処理を行うことにより、チャネルスキャンの対象とする周波数帯域全体のチャネルを受信する場合に較べて、チャネルスキャンを迅速に終了させることが可能になる。
【００９９】
［変形例］
上述したチャネルスキャンは、Single Cable方式以外の方式で衛星アンテナと受信装置が接続される場合にも適用可能である。すなわち、衛星アンテナと受信装置の間に中継器となるスイッチが設けられ、そのスイッチの受信信号の周波数帯域を受信装置から制御可能な各種の接続方式に適用することができる。
【０１００】
また、以上においては、スイッチに対する入力が衛星アンテナからのIF信号であるとしたが、RF信号が入力され、RF信号をユーザバンドの信号に変換して出力するスイッチが設けられる場合にも上述したチャネルスキャンは適用可能である。この場合、受信装置２−１は、IFバンドに代えてRFバンドの周波数を指定してチャネルスキャンを行うことになる。
【０１０１】
［受信システムの構成例］
図１３は、図６の受信装置２−１を適用した受信システムの構成例を示すブロック図である。
【０１０２】
図１３の受信システムは、チューナ４１、復調・復号部４２、信号処理部４３、および出力部４４から構成される。
【０１０３】
チューナ４１は、地上デジタル放送、衛星デジタル放送、CATV網、インターネットなどの伝送路を介して伝送され、スイッチ１を介して供給さてきた信号を受信し、復調・復号部４２に出力する。図６の受信部１１がチューナ４１に含まれる。
【０１０４】
復調・復号部４２は、チューナ４１から供給された信号に対して、復調処理、誤り訂正処理を含む伝送路復号処理を施し、伝送路復号処理によって得られたデータを信号処理部４３に出力する。例えば、図６の信号処理部１２、スペクトル計測部１３、推定部１４、制御部１５、および記憶部１６が復調・復号部４２に含まれる。
【０１０５】
信号処理部４３は、伝送路復号処理によって得られたデータに対して、伸張処理、デスクランブル処理等の信号処理を適宜施し、送信対象のデータを取得する。
【０１０６】
信号処理部４３による伸張処理は、画像や音声などの送信対象のデータに対して、MPEG等の所定の方式を用いて送信側において圧縮が施されている場合に行われる。また、デスクランブル処理は、送信対象のデータに対して送信側においてスクランブルが施されている場合に行われる。信号処理部４３は、信号処理を適宜施すことによって得られた送信対象のデータを出力部４４に出力する。
【０１０７】
出力部４４は、信号処理部４３から供給されたデータに基づいて画像を表示させる場合、信号処理部４３から供給されたデータに対してD/A変換等の処理を施す。出力部４４は、D/A変換等の処理を施すことによって得られた画像信号を受信システムに設けられたディスプレイ、または受信システムの外部のディスプレイに出力し、画像を表示させる。
【０１０８】
また、出力部４４は、信号処理部４３から供給されたデータを記録媒体に記録させる場合、信号処理部４３から供給されたデータを受信システムの内部の記録媒体、または外部の記録媒体に出力し、記録させる。記録媒体は、ハードディスク、フラッシュメモリ、光ディスクなどより構成される。外部の記録媒体は、受信システムの外付けの記録媒体だけでなく、ネットワークを介して接続される記録媒体であってもよい。
【０１０９】
図１３の構成を有する受信システムは、ICチップ等のハードウェアにより構成されるようにしてもよいし、複数のICチップが配設されることによって構成されるボード等の部品や、その部品を含む独立した装置から構成されるようにしてもよい。
【０１１０】
チューナ４１、復調・復号部４２、信号処理部４３、および出力部４４は、それぞれ、１つの独立したハードウェア、又はソフトウェアモジュールとして構成することが可能である。また、チューナ４１、復調・復号部４２、信号処理部４３、および出力部４４のうちの２つ以上の組み合わせが１つの独立したハードウェア、又はソフトウェアモジュールとして構成されるようにしてもよい。例えば、チューナ４１と復調・復号部４２が１つのハードウェア等により構成され、信号処理部４３と出力部４４が１つのハードウェア等により構成されるようにすることも可能である。
【０１１１】
図１３の受信システムは、例えば、デジタル放送としてのテレビジョン放送を受信するTVや、ラジオ放送を受信するラジオ受信機、テレビジョン放送を録画するレコーダ機器等に適用することができる。
【０１１２】
［コンピュータの構成例］
上述した一連の処理は、ハードウェアにより実行することもできるし、ソフトウェアにより実行することもできる。一連の処理をソフトウェアにより実行する場合には、そのソフトウェアを構成するプログラムが、専用のハードウェアに組み込まれているコンピュータ、または汎用のパーソナルコンピュータなどに、プログラム記録媒体からインストールされる。
【０１１３】
図１４は、上述した一連の処理をプログラムにより実行するコンピュータのハードウェアの構成例を示すブロック図である。
【０１１４】
CPU(Central Processing Unit)５１、ROM(Read Only Memory)５２、RAM(Random Access Memory)５３は、バス５４により相互に接続されている。
【０１１５】
バス５４には、さらに、入出力インタフェース５５が接続されている。入出力インタフェース５５には、キーボード、マウスなどよりなる入力部５６、ディスプレイ、スピーカなどよりなる出力部５７が接続される。また、入出力インタフェース５５には、ハードディスクや不揮発性のメモリなどよりなる記憶部５８、ネットワークインタフェースなどよりなる通信部５９、リムーバブルメディア６１を駆動するドライブ６０が接続される。
【０１１６】
以上のように構成されるコンピュータでは、CPU５１が、例えば、記憶部５８に記憶されているプログラムを入出力インタフェース５５及びバス５４を介してRAM５３にロードして実行することにより、上述した一連の処理が行われる。
【０１１７】
CPU５１が実行するプログラムは、例えばリムーバブルメディア６１に記録して、あるいは、ローカルエリアネットワーク、インターネット、デジタル放送といった、有線または無線の伝送媒体を介して提供され、記憶部５８にインストールされる。
【０１１８】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０１１９】
本技術の実施の形態は、上述した実施の形態に限定されるものではなく、本技術の要旨を逸脱しない範囲において種々の変更が可能である。
【０１２０】
［構成の組み合わせ例］
本技術は、以下のような構成をとることもできる。
【０１２１】
（１）
所望の周波数帯域の信号を受信し、受信装置に割り当てられた周波数帯域の信号に変換して出力する中継器に、周波数帯域を順次変えて信号を受信させる制御部と、
前記中継器から供給された周波数変換後の信号のスペクトルを計測する計測部と
を備える受信装置。
【０１２２】
（２）
放送に用いられているチャネルの候補を前記スペクトルに基づいて推定する推定部をさらに備え、
前記制御部は、前記候補のチャネルの信号を前記中継器に受信させる
前記（１）に記載の受信装置。
【０１２３】
（３）
前記候補のチャネルの信号を受信した前記中継器から供給された前記周波数変換後の信号に対して復調および復号を含む信号処理を行う信号処理部と、
前記信号処理によって同期を確立できた前記候補のチャネルの情報を記憶する記憶部と
をさらに備える前記（２）に記載の受信装置。
【０１２４】
（４）
前記記憶部に記憶される情報には、前記候補のチャネルの周波数の情報が含まれる
前記（３）に記載の受信装置。
【０１２５】
（５）
前記中継器は、分岐した先に前記受信装置自身を含む複数の受信装置が接続される１本の同軸ケーブル上に、各受信装置に割り当てられた周波数帯域の信号を周波数多重した信号を出力する機器であり、
前記制御部は、DiSEqC規格のコマンドを前記中継器に送信し、受信周波数帯域を制御する
前記（１）乃至（４）のいずれかに記載の受信装置。
【０１２６】
（６）
前記所望の周波数帯域の信号はアンテナから供給される信号である
前記（１）乃至（５）のいずれかに記載の受信装置。
【０１２７】
（７）
前記所望の周波数帯域の信号はRF信号またはIF信号である
前記（１）乃至（６）のいずれかに記載の受信装置。
【０１２８】
（８）
所望の周波数帯域の信号を受信し、受信装置に割り当てられた周波数帯域の信号に変換して出力する中継器に、周波数帯域を順次変えて信号を受信させ、
前記中継器から供給された周波数変換後の信号のスペクトルを計測する
ステップを含む受信方法。
【０１２９】
（９）
所望の周波数帯域の信号を受信し、受信装置に割り当てられた周波数帯域の信号に変換して出力する中継器に、周波数帯域を順次変えて信号を受信させ、
前記中継器から供給された周波数変換後の信号のスペクトルを計測する
ステップを含む処理をコンピュータに実行させるプログラム。
【符号の説明】
【０１３０】
２−１  受信装置，  １１  受信部，  １２  信号処理部，  １３  スペクトル計測部，  １４  推定部，  １５  制御部，  １６  記憶部
【図１】
2013123155.tif 000003
【図２】
2013123155.tif 000004
【図３】
2013123155.tif 000005
【図４】
2013123155.tif 000006
【図５】
2013123155.tif 000007
【図６】
2013123155.tif 000008
【図７】
2013123155.tif 000009
【図８】
2013123155.tif 000010
【図９】
2013123155.tif 000011
【図１０】
2013123155.tif 000012
【図１１】
2013123155.tif 000013
【図１２】
2013123155.tif 000014
【図１３】
2013123155.tif 000015
【図１４】
2013123155.tif 000016